(57)【特許請求の範囲】
【請求項１】
所定外形をもつ可撓性のあるシート体と、このシート体に形成された折り操作案内手段とを備え、布地に重ねるように付着させて使用し、上記折り操作案内手段にしたがい、上記布地を回転対称性のある所定の形態に折り畳むための手芸作業用補助具であって、
上記折り操作案内手段は、上記シート体を上記布地に付着させた重合物を、所定の折り線に沿って折り曲げる操作を容易化する折り曲げ容易化手段を含んでいることを特徴とする、手芸作業用補助具。
【請求項２】
上記折り曲げ容易化手段は、上記所定の折り線に沿って形成されたミシン目状のスリットである、請求項１に記載の手芸作業用補助具。
【請求項３】
上記折り操作案内手段は、折り操作をするべき順序を示す番号表記と、折り方向を示す矢印表記とをさらに含んでいる、請求項１または２に記載の手芸作業用補助具。
【請求項４】
上記シート体は、正多角形の頂点をもつ外形を有しているとともに、中心を上記シート体の中心と同じくする縮小相似形状の中心領域と、この中心領域の外側の周辺領域とを有し、上記中心領域と上記周辺領域との境界には、上記中心領域の各辺に沿って、上記折り曲げ容易化手段のうちの第１の折り曲げ容易化手段が形成されており、上記周辺領域には、上記折り曲げ容易化手段のうちの第２の折り曲げ容易化手段が形成されており、この第２の折り曲げ容易化手段は、上記中心領域の各辺の延長線に沿って直線状に延びるものを含む、請求項１ないし３のいずれかに記載の手芸作業用補助具。
【請求項５】
上記中心領域は、上記シート体の１／２縮小相似形状であり、かつ、上記シート体の外形形状と各頂点の周方向位置が一致する、請求項４に記載の手芸作業用補助具。
【請求項６】
上記シート体は、上記布地に付着させるための粘着剤が一方の面に設けられたシールとして構成されており、上記粘着剤に貼着される離型シートをさらに備える、請求項１ないし５のいずれか記載の手芸作業用補助具。
【請求項７】
上記シート体は、シート状の不織布層と、この不織布層の一方の面に積層形成された熱接着層とを備えて構成されている、請求項１ないし５のいずれかに記載の手芸用補助具。
【発明の詳細な説明】
【技術分野】
【０００１】
本発明は、パッチワークなどの手芸の分野で好適に用いられる手芸作業用補助具に関する。
【背景技術】
【０００２】
パッチワークなどの手芸の分野において、装飾効果に優れた技法の一つとして折り紙キルトと呼称されるものが知られている。折り紙キルトは、布地を折り畳んで形成されたモチーフを用いて構成されている。ここで使用されるモチーフは、一般に、所定形状の布地を、折り紙を折るかのように折り畳み、適所を縫い止めることにより作製される。そして、このモチーフについては、折り紙の場合と同様に、布地の折り方によって種々のデザインパターンを形成することができる。折り紙キルトは、日本古来の折り紙の手法を取り入れつつ、布地で作製されたモチーフの立体感が独特の風合い有するものであり、手芸の分野において親しまれている。
【０００３】
モチーフを作製する具体的な手順の一例を挙げると、まず、型紙などを用いて布地に印を入れて、当該布地を所定サイズに裁断する。次いで、解説書などに示された折り操作の手順に従って布地を折り返し、その折り返した部分にアイロンで折り目をつける。この布地の折り返し作業とアイロンによる折り目つけ作業を繰り返すことにより、布地に折り目のついたモチーフが作製される。ここでアイロンを使用するのは、布地の場合には、折り紙の場合と異なり、折り返すだけでは折り目がつき難く、所望形状のモチーフを作製することが困難だからである。
【０００４】
しかしながら、上記従来方法によるモチーフの作製においては、布地を折り返す度ごとにアイロンを掛ける必要があるので、１つのモチーフを作製するのにも手間が掛かってしまう。また、布地は折り紙に比べると腰がないので、アイロンを用いても正確に折り目をつけるのが困難である。そして、多数のモチーフを作製する場合には、作業者の負担もかなり大きなものとなってしまう。
【発明の開示】
【発明が解決しようとする課題】
【０００５】
本発明は、このような事情のもとで考え出されたものであって、折り紙キルトに用いられるモチーフを簡単かつ効率よく作製することができる手芸作業用補助具を提供することを課題とする。
【課題を解決するための手段】
【０００６】
上記の課題を解決するため、本発明では、次の技術的手段を講じている。
【０００７】
本発明によって提供される手芸作業用補助具は、所定外形をもつ可撓性のあるシート体と、このシート体に形成された折り操作案内手段とを備え、布地に重ねるように付着させて使用し、上記折り操作案内手段にしたがい、上記布地を回転対称性のある所定の形態に折り畳むための手芸作業用補助具であって、上記折り操作案内手段は、上記シート体を上記布地に付着させた重合物を、所定の折り線に沿って折り曲げる操作を容易化する折り曲げ容易化手段を含んでいることを特徴としている。
【０００８】
本発明の好ましい実施の形態においては、上記折り曲げ容易化手段は、上記所定の折り線に沿って形成されたミシン目状のスリットである。
【０００９】
本発明の好ましい実施の形態においては、上記折り操作案内手段は、折り操作をするべき順序を示す番号表記と、折り方向を示す矢印表記とをさらに含んでいる。
【００１０】
本発明の好ましい実施の形態においては、上記シート体は、正多角形の頂点をもつ外形を有しているとともに、中心を上記シート体の中心と同じくする縮小相似形状の中心領域と、この中心領域の外側の周辺領域とを有し、上記中心領域と上記周辺領域との境界には、上記中心領域の各辺に沿って、上記折り曲げ容易化手段のうちの第１の折り曲げ容易化手段が形成されており、上記周辺領域には、上記折り曲げ容易化手段のうちの第２の折り曲げ容易化手段が形成されており、この第２の折り曲げ容易化手段は、上記中心領域の各辺の延長線に沿って直線状に延びるものを含む。
【００１１】
本発明の好ましい実施の形態においては、上記中心領域は、上記シート体の１／２縮小相似形状であり、かつ、上記シート体の外形形状と各頂点の周方向位置が一致している。
【００１２】
本発明の好ましい実施の形態においては、上記シート体は、布地に付着させるための粘着剤が一方の面に設けられたシールとして構成されており、上記粘着剤に貼着される離型シートをさらに備える。
【００１３】
本発明の好ましい実施の形態においては、上記シート体は、シート状の不織布層と、この不織布層の一方の面に積層形成された熱接着層とを備えて構成されている。
【００１４】
本発明のその他の特徴および利点は、添付図面を参照して以下に行う詳細な説明によって、より明らかとなろう。
【発明を実施するための最良の形態】
【００１５】
以下、本発明の好ましい実施の形態について、図面を参照して具体的に説明する。
【００１６】
図１は、本発明に係る手芸作業用補助具の一例を示す平面図である。本実施形態の手芸作業用補助具Ａ１は、所定外形を有するシート体１と、シート体１よりも大きいサイズの外形を有する離型シート２とを備え、離型シート２上にシート体１が重ね合わされた構成とされている。手芸作業用補助具Ａ１は、シート体１を布地に重ねるように付着させて使用し、布地を所定の形態に折り畳むためのものである。
【００１７】
シート体１は、可撓性を有する紙製シートであり、正多角形（本実施形態では正六角形）の頂点をもつ外形を有している。シート体１の下面（離型シート２に対向する面）には、所定の粘着力を有する粘着剤が設けられている。これにより、シート体１は、布地に付着させることが可能なシールとして構成されている。
【００１８】
シート体１は、この外形形状を１／２に縮小した相似形状（すなわち、正六角形状）を有する中心領域１１と、この中心領域１１の外側にある周辺領域１２とを有している。本実施形態では、中心領域１１の中心は、シート体１の中心と一致させられており、また、中心領域１１の各頂点は、シート体１の外形を構成する正六角形の頂点と周方向位置が一致している。
【００１９】
シート体１には、複数の折り線に沿ってミシン目状のスリット３が形成されている。このスリット３は、シート体１を布地に付着させた重合物を折り線に沿って折り曲げる操作を容易化するためのものであり、本発明でいう折り曲げ容易化手段に相当するものである。より具体的には、スリット３は、第１スリット３１および第２スリット３２を有し、第１スリット３１は、中心領域１１と周辺領域１２との境界において、中心領域１１の各辺に沿って形成されている。一方、第２スリット３２は、周辺領域１２に形成されており、中心領域１１の各辺の延長線に沿って直線状に延びるものを含むように構成されている。かかる構成のスリット３は、本発明でいう折り操作案内手段を構成する要素である。
【００２０】
シート体１の上面には、周辺領域１２において、たとえば印刷などによって複数の番号表記４Ａ〜４Ｆおよび複数の矢印表記５Ａ〜５Ｆが表されている。詳細については後述するが、番号表記４Ａ〜４Ｆは、第１スリット３１について折り操作をするべき順序を示すものであり、矢印表記５Ａ〜５Ｆは、第２スリット３２について折り方向を示すものである。本実施形態では、番号表記４Ａ〜４Ｆは、中心領域１１の各辺に対応させて、第１スリット３１の近傍に位置している。また、矢印表記５Ａ〜５Ｆは、シート体１の外形の各頂点を挟む両側に対をなすように位置している。かかる構成の番号表記４Ａ〜４Ｆおよび矢印表記５Ａ〜５Ｆは、本発明でいう折り操作案内手段を構成する要素である。また、本実施形態では、番号表記４Ａ〜４Ｆにしたがって折り返されるべき領域を示す折り領域表記４１Ａ〜４１Ｆが、各番号表記４Ａ〜４Ｆに対応するように表されている。
【００２１】
離型シート２は、シート体１に対向する表面部分において粘着性のあるものに対し剥離し易くする処理が施されたものであり、たとえば当該表面部分にはシリコーン樹脂が塗布されている。
【００２２】
次に、上記構成の手芸作業用補助具Ａ１を用いて折り紙キルトの素材となるモチーフを作製する方法について、図２〜図８を参照して説明する。
【００２３】
まず、図２に示すように、シート体１よりもひと回り大きいサイズの布地Ｃを準備し、離型シート２から引き剥がしたシート体１を布地Ｃに重ねて付着させる。次いで、シート体１の外形に沿って、布地Ｃの不要部分を裁断する。ここで、シート体１は、型紙として機能させることができる。シート体１は、布地Ｃに付着されて布地Ｃと一体になっているので、通常の型紙を使用する場合と異なり、布地Ｃに印を付ける必要がなく、シート体１が布地Ｃに対して位置ずれすることもない。さらに、シート体１を布地Ｃに付着させた重合物には腰がある。このようなことから、布地Ｃを所定サイズに裁断する作業が、格段に行いやすくなる。
【００２４】
次いで、シート体１が布地Ｃに付着させられた重合物Ｄを、スリット３（第１スリット３１および第２スリット３２）、番号表記４Ａ〜４Ｆ、矢印表記５Ａ〜５Ｆ、折り領域表記４１Ａ〜４１Ｆにしたがって折り畳む。具体的には、まず、布地Ｃを裏返し、図３に示すように、周辺領域１２について、「１」の数字として表された番号表記４Ａが外側になるように、この番号表記４Ａに対応する第１スリット３１およびこの第１スリット３１に直線状につながる第２スリット３２に沿って折り曲げる。このとき、図１を参照して上述したように、中心領域１１はシート体１の１／２縮小相似形であり、また、中心領域１１の中心と折り曲げる前のシート体１の中心とは一致しているため、折り返された部分の周縁は、中心領域１１のほぼ中心を通る。引き続き、図４に示すように、「２」の数字として表された番号表記４Ｂについても同様にして、これに対応する第１および第２スリット３１，３２を折り返す。
【００２５】
次に、図５に示すように、番号表記４Ａ，４Ｂに対応する折り領域表記４１Ａ，４１Ｂが付された両領域の間において、対をなす矢印表記５Ａ，５Ａを合わせて菱形をつくるようにして、第２スリット３２の適所を折り曲げる。このとき、次いで、図５の菱形部分中央に表れている第２スリット３２に沿って折り曲げて、当該菱形部分の図中上側半分を手前に折り返す（図６参照）。ここで、折り畳まれた部分を、必要に応じてクリップなど（図示略）で止めておく。
【００２６】
次いで、上記のような第１および第２スリット３１，３２に沿って折り曲げる操作を、「３」、「４」、「５」、「６」の番号表記４Ｃ〜４Ｆについても同様に繰り返す。これにより、図７に示すように、重合物Ｄ（シート体１が付着された布地Ｃ）は、回転対称性のある所定の形態に折り畳まれる。
【００２７】
次いで、折り畳まれた重合物Ｄの全体にアイロンを掛ける。このアイロン掛け作業は、シート体１を剥がした後においても布地Ｃに折り目が残るようにするために行うものである。
【００２８】
次いで、折り畳まれた重合物Ｄを展開し、布地Ｃからシート体１を引き剥がす。そして、布地Ｃを折り目に沿って再び折り畳み、中心を縫い止めると、図８に表されるような外形が略正六角形のモチーフＭ１が得られる。
【００２９】
本実施形態の手芸作業用補助具Ａ１において、シート体１には所定の折り線に沿って形成されたミシン目状のスリット３が形成されている。このため、手芸作業用補助具Ａ１を用いてモチーフＭ１を作製する際には、布地Ｃとシート体１とが一体とされた重合物Ｄについて、スリット３（第１および第２スリット３１，３２）に沿って容易に折り曲げ操作を行うことが可能であり、重合物Ｄ（布地Ｃ）を所望の形態に簡単に折り畳むことができる。
【００３０】
本実施形態においては、折り曲げ操作を行う際に、布地Ｃとシート体１とが一体とされた重合物Ｄとして取り扱う。このため、重合物Ｄは全体としてある程度の腰があり、布地Ｃだけを折り曲げる場合に比べて、所定の折り線（スリット３）に沿って正確に折り曲げることができる。
【００３１】
また、本実施形態においては、所望の形態に折り畳まれた重合物Ｄに対してアイロン掛けを行うことにより、布地Ｃの所定位置において折り目を適切に形成することができる。したがって、布地を折り返す度ごとにアイロン掛をする必要があった従来方法とは異なり、布地に効率よく折り目を形成することができる。このようなことから分るように、手芸作業用補助具Ａ１を用いれば、所望の形態に折り畳まれたモチーフＭ１を簡単かつ効率よく作製することができる。
【００３２】
本実施形態においては、シート体１の周辺領域１２には、番号表記４Ａ〜４Ｆおよび矢印表記５Ａ〜５Ｆが表されている。これにより、これら番号表記４Ａ〜４Ｆおよび矢印表記５Ａ〜５Ｆの指示通りに第１および第２スリット３１，３２の折り曲げ操作を進めることができ、布地Ｃの折り曲げ操作をより効率よく行うことができる。
【００３３】
本実施形態においては、図２、図７および図８を参照するとよく分るように、シート体１の中心領域１１の外形と同じ外形を有するモチーフＭ１が出来上がる。また、上述したように、中心領域１１はシート体１全体の１／２縮小相似形状であり、中心領域１１の中心と折り畳む前のシート体１の中心とは一致している。このため、モチーフＭ１の中心には、シート体１の折り返された周辺領域１２に対応する布地の周縁部分が集まっている。したがって、この中心部分を縫い止めればモチーフＭ１の形態を保持することができ、扱い扱いやすく、デザイン性に優れたモチーフＭ１が得られる。
【００３４】
また、本実施形態においては、シート体１は粘着剤が片面に設けられたシールとして構成されており、離型シート２から剥がして使用する。このようにシールとして構成されたシート体１は、取り扱い易いものであり、また、粘着剤の粘着力が低下するまでの間は繰り返して使用することができる。
【００３５】
図９〜図１９は、本発明に係る手芸作業用補助具の他の例を示している。なお、図９以降の図面において、上記実施形態と同一または類似の要素には、上記実施形態と同一の符号を付しており、適宜説明を省略する。
【００３６】
図９に示された手芸作業用補助具Ａ２は、使用時における折り構造については基本的に上記実施形態の手芸作業用補助具Ａ１と同様であるが、シート体１の外形が正六角形に代えて正方形とされている点、およびこれに伴って種々の設計変更が施されている点において、上記実施形態の手芸作業用補助具Ａ１とは異なる。
【００３７】
手芸作業用補助具Ａ２を用いてモチーフを作製する際には、シート体１が布地Ｃに付着された重合物を、第１および第２スリット３１，３２、番号表記４Ａ〜４Ｄ、矢印表記５Ａ〜５Ｄ、折り領域表記４１Ａ〜４１Ｄにしたがって折り畳む。図１０は、手芸作業用補助具Ａ２を用いてモチーフを作製する際における図５と同様のステップを示している。図１１は、手芸作業用補助具Ａ２を用いて作製されたモチーフＭ２を示している。手芸作業用補助具Ａ２を用いれば、外形が略正方形のモチーフＭ２を作製することができる。
【００３８】
図１２に示された手芸作業用補助具Ａ３においては、シート体１の外形は上記実施形態の手芸作業用補助具Ａ１と同様に正六角形とされているが、使用時における折り構造が上記実施形態の手芸作業用補助具Ａ１とは異なっており、これに伴って種々の設計変更が施されている。すなわち、手芸作業用補助具Ａ３においては、手芸作業用補助具Ａ１に比べて折り構造が簡素化されており、矢印表記が表されていない。
【００３９】
手芸作業用補助具Ａ３を用いてモチーフを作製する際には、シート体１が布地Ｃに付着された重合物を、第１および第２スリット３１，３２、番号表記４Ａ〜４Ｆ、折り領域表記４１Ａ〜４１Ｆにしたがって折り畳む。図１３は、手芸作業用補助具Ａ３を用いてモチーフを作製する際における図５と同様のステップを示している。「６」の番号表記４Ｆが付された領域を折り返す際に、ハッチングが付された領域を、既に折り返されている「１」の番号表記４Ａが付された部分の下側に谷折りして折り込む。ここで、重合物は腰があるため、ハッチングが付された領域を比較的容易に折り込むことができる。図１４は、手芸作業用補助具Ａ３を用いて作製されたモチーフＭ３を示している。手芸作業用補助具Ａ３を用いれば、外形が略正六角形のモチーフＭ３を作製することができる。
【００４０】
図１５に示された手芸作業用補助具Ａ４においては、シート体１の外形は上記実施形態の手芸作業用補助具Ａ１と同様に正六角形とされているが、使用時における折り構造が上記実施形態の手芸作業用補助具Ａ１とは異なっており、これに伴って種々の設計変更が施されている。すなわち、手芸作業用補助具Ａ４においては、手芸作業用補助具Ａ１に比べて折り構造が簡素化されており、矢印表記が表されていない。また、シート体１の中心領域１１は、シート体１全体の縮小相似形であるが、中心領域１１の頂点とシート体１の外形を構成する正六角形の頂点とは、周方向位置がずれている。
【００４１】
手芸作業用補助具Ａ４を用いてモチーフを作製する際には、シート体１が布地Ｃに付着された重合物を、第１および第２スリット３１，３２、番号表記４Ａ〜４Ｆ、折り領域表記４１Ａ〜４１Ｆにしたがって折り畳む。図１６は、手芸作業用補助具Ａ４を用いてモチーフを作製する際における図５と同様のステップを示している。図１６から分るように、シート体１の外形の頂点は、中心領域１１の中心に位置する。図１７は、手芸作業用補助具Ａ４を用いて作製されたモチーフＭ４を示している。手芸作業用補助具Ａ４を用いれば、外形が略正六角形のモチーフＭ４を作製することができる。
【００４２】
図１８に示された手芸作業用補助具Ａ５は、シート体１の形状については上記実施形態の手芸作業用補助具Ａ１と同じであるが、離型シートを備えていない点、およびこれに伴って設計変更が施されている点において、上記実施形態の手芸作業用補助具Ａ１とは異なる。
【００４３】
手芸作業用補助具Ａ５においては、シート体１は、シート状の不織布層の一方の面（図１８における紙面奥側）に熱接着層を積層して形成されたものである。シート体１には、上記実施形態の手芸作業用補助具Ａ１と同様に第１および第２スリット３１，３２が形成されており、上記不織布層の他方の面（図１８における紙面手前側）には、番号表記４Ａ〜４Ｆ、矢印表記５Ａ〜５Ｆ、および折り領域表記４１Ａ〜４１Ｆが表されている。
【００４４】
手芸作業用補助具Ａ５を用いてモチーフを作製する際には、まず、シート体１よりもひと回り大きいサイズの布地を準備し、布地に熱接着層が接触するようにシート体１を重ねてアイロン掛けを行うことにより、シート体１を布地に付着させる。次いで、シート体１の外形に沿って、布地の不要部分を裁断する。
【００４５】
次いで、シート体１が布地Ｃに付着された重合物を、第１および第２スリット３１，３２、番号表記４Ａ〜４Ｆ、矢印表記５Ａ〜５Ｆ、折り領域表記４１Ａ〜４１Ｆにしたがって折り畳む。このとき、上記実施形態の手芸作業用補助具Ａ１の場合と異なり、番号表記４Ａ〜４Ｆが内側となるように第１および第２スリット３１，３２を折り曲げる。図１９は、手芸作業用補助具Ａ５を用いてモチーフを作製する際における図６と同様のステップを示している。本実施形態の場合、所定の形態に折り畳まれた重合物がそのままモチーフの形態になり、シート体１はモチーフの内側に収容される。
【００４６】
以上、本発明の実施形態を説明したが、本発明の技術的範囲は上記した実施形態に限定されるものではない。本発明に係る手芸作業用補助具の各部の具体的な構成は、発明の思想から逸脱しない範囲内で種々な変更が可能である。上記実施形態の説明から理解できるように、本発明に係る手芸作業用補助具は、様々なバリエーションのモチーフを作製するのに適用可能である。
【図面の簡単な説明】
【００４７】
【図１】本発明に係る手芸作業用補助具の一例を示す平面図である。
【図２】図１に示す手芸作業用補助具の使用方法の一部の手順を示す平面図である。
【図３】図１に示す手芸作業用補助具の使用方法の一部の手順を示す平面図である。
【図４】図１に示す手芸作業用補助具の使用方法の一部の手順を示す平面図である。
【図５】図１に示す手芸作業用補助具の使用方法の一部の手順を示す平面図である。
【図６】図１に示す手芸作業用補助具の使用方法の一部の手順を示す平面図である。
【図７】図１に示す手芸作業用補助具の使用方法の一部の手順を示す平面図である。
【図８】図１に示す手芸作業用補助具を使用して作製されたモチーフを示す平面図である。
【図９】本発明に係る手芸作業用補助具の他の例を示す平面図である。
【図１０】図９に示す手芸作業用補助具の使用方法の一部の手順を示す平面図である。
【図１１】図９に示す手芸作業用補助具を使用して作製されたモチーフを示す平面図である。
【図１２】本発明に係る手芸作業用補助具の他の例を示す平面図である。
【図１３】図１２に示す手芸作業用補助具の使用方法の一部の手順を示す平面図である。
【図１４】図１２に示す手芸作業用補助具を使用して作製されたモチーフを示す平面図である。
【図１５】本発明に係る手芸作業用補助具の他の例を示す平面図である。
【図１６】図１５に示す手芸作業用補助具の使用方法の一部の手順を示す平面図である。
【図１７】図１５に示す手芸作業用補助具を使用して作製されたモチーフを示す平面図である。
【図１８】本発明に係る手芸作業用補助具の他の例を示す平面図である。
【図１９】図１８に示す手芸作業用補助具の使用方法の一部の手順を示す平面図である。
【符号の説明】
【００４８】
Ａ１，Ａ２，Ａ３，Ａ４，Ａ５    手芸作業用補助具
Ｃ        布地
Ｄ        重合物
１        シート体
２        離型シート
３        スリット（折り曲げ容易化手段）
３１      第１スリット（第１の折り曲げ容易化手段）
３２      第２スリット（第２の折り曲げ容易化手段）
４Ａ〜４Ｆ    番号表記
５Ａ〜５Ｆ    矢印表記
４１Ａ〜４１Ｆ    折り領域表記
【要約】
【課題】折り紙キルトに用いられるモチーフを簡単かつ効率よく作製することができる手芸作業用補助具を提供する。
【解決手段】所定外形をもつ可撓性のあるシート体１と、このシート体１に形成された折り操作案内手段とを備え、布地に重ねるように付着させて使用し、上記折り操作案内手段にしたがい、上記布地を回転対称性のある所定の形態に折り畳むための手芸作業用補助具Ａ１であって、上記折り操作案内手段は、シート体１を上記布地に付着させた重合物を、所定の折り線に沿って折り曲げる操作を容易化する折り曲げ容易化手段（ミシン目状のスリット３）を含んでいる。
【選択図】図１【図１】
0004227662.tif 000002
【図２】
0004227662.tif 000003
【図３】
0004227662.tif 000004
【図４】
0004227662.tif 000005
【図５】
0004227662.tif 000006
【図６】
0004227662.tif 000007
【図７】
0004227662.tif 000008
【図８】
0004227662.tif 000009
【図９】
0004227662.tif 000010
【図１０】
0004227662.tif 000011
【図１１】
0004227662.tif 000012
【図１２】
0004227662.tif 000013
【図１３】
0004227662.tif 000014
【図１４】
0004227662.tif 000015
【図１５】
0004227662.tif 000016
【図１６】
0004227662.tif 000017
【図１７】
0004227662.tif 000018
【図１８】
0004227662.tif 000019
【図１９】
0004227662.tif 000020